(57)【要約】【課題】      テーパードラム回転速度制御システムを提供し、それを用いた低目付不織布などの柔軟性に富み伸縮する製品に好適な、製品巻取り装置および製品巻取り方法、並びにスリット加工装置及びその方法を提供する。【解決手段】  テーパー部分を有する少なくとも一対のドラムが、軸が平行で、テーパー部分が相対しかつ向きを逆に設置され、テーパー部分でベルトによって連結された、テーパードラム回転速度制御システム、それを用いた製品巻取り装置およびスリッター装置、並びにそれを用いた巻取り方法及びスリット方法。【選択図】    図１
2008030940.tif 000002
【特許請求の範囲】
【請求項１】
テーパー部分を有する少なくとも一対のドラムが、軸が平行で、テーパー部分が相対し、かつテーパーの向きが逆になるように設置されており、ドラムがテーパー部分において、ベルトによって連結されている、テーパードラム回転速度制御システム。
【請求項２】
製品巻取り装置において、巻取りドラムがリアロールとフロントロールよりなり、リアロールとフロントロールの間で請求項１に記載のテーパードラム回転速度制御システムが構成されている製品巻取り装置。
【請求項３】
前記製品巻取り装置が、少なくとも巻取りドラムとドライビングロールを含む装置であり、リアロールとドライビングロールとが連結されている請求項２に記載の製品巻取り装置。
【請求項４】
前記製品巻取り装置が、巻取りドラム、ドライビングロールおよび製品送出しのベルトシューターを含む装置であり、リアロールとベルトシューターの駆動ロールとが連結されていることを特徴とする請求項２または３に記載の製品巻取り装置。
【請求項５】
少なくともスリッター部および巻取りドラムを含むスリッター装置において、巻取りドラムのリアロールとフロントロールの間で請求項１に記載のテーパードラム回転速度制御システムが構成されており、リアロールとスリッター部のスリッター下刃ロールが連結されているスリッター装置。
【請求項６】
前記スリッター装置が、原反送出し部、ドライビングロール、スリッター部および巻取りドラムを含む装置であって、さらにリアロールとドライビングロールが連結されていることを特徴とする請求項５に記載のスリッター装置。
【請求項７】
前記原反送出し部が、ベルトシューターを有しており、ベルトシューターの駆動ロールとが巻取りドラムの巻取りドラムのリアロールとが連結されていることを特徴とする請求項５または６に記載のスリッター装置。
【請求項８】
前記ベルトシューターの駆動ロールと、その後方にあるテンションピックアップロールの間で、請求項１に記載のテーパードラム回転速度制御システムが構成されていることを特徴とする請求項７に記載のスリッター装置。
【請求項９】
請求項２〜４のいずれかの製品巻取り装置を用いる製品巻取り方法。
【請求項１０】
請求項５〜７のいずれかに記載のスリッター装置を用いる原反のスリット方法。
【請求項１１】
原反が低目付不織布であることを特徴とする請求項１０に記載のスリット方法。
【発明の詳細な説明】
【技術分野】
【０００１】
本発明は、テーパードラム回転速度制御システム並びにそれを用いた製品巻取り装置およびスリッター装置に関する。さらに詳しくは、柔軟な製品を巻き取るのに適したテーパードラム回転速度制御システム並びにそれを用いた製品巻取り装置およびスリッター装置に関する。
【背景技術】
【０００２】
近年、不織布は通気性、柔軟性を有することを利用して様々な用途に使用され、またその用途が拡大している。特にポリプロピレンなどのポリオレフィンを代表とする熱可塑性樹脂からなる不織布は、耐水性があり通気性、柔軟性に優れるので、例えば、使い捨ておむつ、生理用ナプキン等の衛生材料、湿布材の基布等に用いられている。
【０００３】
ところが、衛生材料用途に用いられるような低目付の不織布を、同用途に使用するために狭幅にスリット加工することが困難であるため、所望の幅の製品を得るのに、繁雑で作業効率が悪く生産性の低い工程を経ることを余儀なくされていた。例えば、低目付不織布のような柔軟性に富み伸縮する製品をスリット加工する場合、巻取り後の縮みを考慮して、所望の製品幅よりも広くスリットして、巻き上げ製品の幅を測定したのち再度スリットして所望の幅の製品とするような繁雑で作業効率の悪い方法が採られている。
【０００４】
本発明者は、柔軟性に富み伸縮する製品を原反から、狭幅の製品に作業効率よくスリット加工を可能にする技術の開発に鋭意努力した結果、本発明に到達した。
【発明の開示】
【発明が解決しようとする課題】
【０００５】
本発明は、低目付不織布のような柔軟性に富み伸縮する製品に好適に使用することができる、製品巻取り装置および製品巻取り方法を提供する。
本発明はまた、低目付不織布のような柔軟性に富み伸縮する製品を、作業効率よくスリット加工する装置及びその方法を提供する。
本発明はさらに、本発明の製品巻取り装置及びスリット加工装置に使用されるテーパードラム回転速度制御システムを提供する。
【課題を解決するための手段】
【０００６】
本発明は、テーパー部分を有する少なくとも一対のドラムが、軸が平行で、テーパー部分が相対し、かつテーパーの向きが逆になるように設置されており、ドラムがテーパー部分において、ベルトによって連結されている、テーパードラム回転速度制御システムを提供する。
【０００７】
本発明はまた、製品巻取り装置において、巻取りドラムがリアロールとフロントロールよりなり、リアロールとフロントロールの間で前記したテーパードラム回転速度制御システムが構成されている製品巻取り装置を提供する。
【０００８】
前記製品巻取り装置が少なくとも巻取りドラムとドライビングロールを含む装置であって、リアロールとドライビングロールとが連結されている前記製品巻取り装置は、本発明の好ましい態様である。
【０００９】
前記製品巻取り装置が、巻取りドラム、ドライビングロールおよび製品送出しのベルトシューターを含む装置であり、リアロールとベルトシューターの駆動ロールとが連結されている製品巻取り装置は、本発明の好ましい態様である。
【００１０】
本発明はさらに、少なくともスリッター部および巻取りドラムを含むスリッター装置において、巻取りドラムのリアロールとフロントロールの間で前記したテーパードラム回転速度制御システムが構成されており、リアロールとスリッター部のスリッター下刃ロールが連結されているスリッター装置を提供する。
【００１１】
前記スリッター装置が、原反送出し部、ドライビングロール、スリッター部および巻取りドラムを含む装置であって、さらにリアロールとドライビングロールが連結されているスリッター装置は、本発明の好ましい態様である。
【００１２】
前記原反送出し部が、ベルトシューターを有しており、ベルトシューターの駆動ロールとが巻取りドラムの巻取りドラムのリアロールとが連結されている前記のスリッター装置は、本発明の好ましい態様である。
【００１３】
前記ベルトシューターの駆動ロールと、その後方にあるテンションピックアップロールの間で、前記したテーパードラム回転速度制御システムが構成されている前記のスリッター装置は、本発明の好ましい態様である。
【００１４】
本発明は、前記した製品巻取り装置のいずれかを用いる製品巻取り方法を提供する。
【００１５】
本発明はまた、前記したスリッター装置のいずれかを用いる原反のスリット方法を提供する。
【発明の効果】
【００１６】
本発明により、製品巻取り装置やスリッター装置に好適に使用できるテーパードラム回転速度制御システムが提供される。
本発明により、本発明のテーパードラム回転速度制御システムを採用した製品巻取り装置およびそれを用いた製品巻取り方法が提供される。
本発明により、本発明のテーパードラム回転速度制御システムを採用したスリッター装置およびそれを用いた製品巻取り方法が提供される。
本発明により提供される装置および方法は、低目付不織布の原反に好適に使用されるものである。
【発明を実施するための最良の形態】
【００１７】
本発明は、テーパードラム回転速度制御システムを提供する。
本発明はまた、少なくとも巻取りドラムとドライビングロールを含む製品巻取り装置において、巻取りドラムのリアロールとフロントロールの間で前記のテーパードラム回転速度制御システムが構成されており、リアロールとドライビングロールとが連結されている製品巻取り装置およびそれを用いた製品巻取り方法を提供する。
本発明はさらに、少なくともスリッター部および巻取りドラムを含むスリッター装置において、巻取りドラムのリアロールとフロントロールの間で前記したテーパードラム回転速度制御システムが構成されており、リアロールとスリッター部のスリッター下刃ロールが連結されているスリッター装置およびそれを用いた原反のスリット方法を提供する。
【００１８】
本発明のテーパードラム回転速度制御システムは、テーパー部分を有する一対のドラムが、軸が平行で、テーパー部分が相対し、かつテーパーの向きが逆になるように設置されており、ドラムがテーパー部分において、ベルトによって連結されている、回転速度制御可能なドラムよりなっており、このような一対のドラムの関係が１または２以上構成されている一群のドラム間の回転速度を制御可能とするものである。
【００１９】
本発明において、テーパードラム回転速度制御システムとは、上記のように回転速度の制御を可能とした一群のドラムを指す。
【００２０】
本発明の製品巻取り装置および製品巻取り方法、並びにスリット加工装置及びスリット加工方法は、本発明のテーパードラム回転速度制御システムを採用するものである。
本発明のテーパードラム回転速度制御システムでは、テーパー部分を有するドラムが、軸が平行であって、テーパー部分が相対し、かつテーパーの向きが逆になるように設置されている少なくとも一対のドラムより構成されている。このように設置された一対のドラム間では、平面視外側接線同士は平行であり、同時に内側接線同士も平行である。そして、一対のドラムはベルト、好ましくは平ベルトによって連結されていて、一方ドラムの回転が、他方ドラムにベルトを通じて伝達される構造となっている。各ドラムはテーパー部分以外に、円筒状などの他の形状部分を有していてもよい。
【００２１】
本発明のテーパードラム回転速度制御システムのおいて、ドラムのテーパー部のテーパー角度は１〜３度程度、より好ましくは２〜２．５度程度であることが望ましい。テーパー部を平面視台形として、上底の下底に対する比は、０．９０〜０．９８程度、好ましくは０．９３〜０．９５程度であることが望ましいが、これらの値に限定されるものではない。
【００２２】
このような一対のドラム間では、ベルトの位置が一定であるときは、ドラムの回転速度は、ベルト位置におけるテーパー部分の円周に反比例の関係を保って一定である。このときベルトを軸方向に平行移動させたとき、ドラムの回転速度は移動先のテーパー部分の円周に反比例の関係にある回転速度に変更される。したがって、本発明のテーパードラム回転速度制御システムでは、ベルトの位置を移動させることによって、ドラムの回転速度を連続的に自由に制御することができる。
【００２３】
本発明のテーパードラム回転速度制御システムを、図を用いてより具体的に説明する。
図１は、本発明のテーパードラム回転速度制御システムにおける、回転速度制御可能ドラムの構成を示す平面図である。平行して設置されている対のドラムＡ及びＢが、ベルト３によって連結されている様子を示している。平行して設置されたテーパードラムＡ及びドラムＢ間でテーパーの向きが逆になるように設置されている。図２はベルト位置によるドラムの回転数を表す図である。図１において、ベルトを位置Ｃから位置１に移動させたとき、図２に示すように、ドラムＢの回転速度が高くなり、ドラムＡの回転速度は低くなる。逆にベルトを位置２に移動させたときは、ドラムＢの回転速度が低くなり、ドラムＡの回転速度は高くなる。
【００２４】
たとえば、駆動ドラムとして、Ａを一定速度で回転させているとき、ベルトの位置を変えることによって、ドラムＢの回転速度を所望の回転速度に制御することができる。このときドラムＢは、ベルトによってドラムＡの回転が伝達された回転速度可変ドラムとなる。駆動ドラムは、ドラムＡをモーターと連動した駆動ドラムであってもよいし、他の駆動ドラムと連結して、それから回転が伝達される駆動ドラムであってもよい。
【００２５】
回転速度可変ドラムによって制御される回転速度は、例えばモーターと連動した駆動ドラムの回転速度の３％以下、好ましくは１％以下の範囲で行なうことができる。しかしながら、制御の程度はこれに制限されるものでははく、実作業において適宜選択することができる。
【００２６】
ベルト位置を変更する方法には制限はなく適宜その目的に合う手段を選択することができる。ベルト位置を変更するために、ベルトシフトハンドルを設けて、ハンドル操作によってベルトをドラムの軸方向に、移動できるように設定するのは好ましい方法である。
【００２７】
このようなテーパードラム回転速度制御システムを、複数のテーパードラムの対として構成してもよい。たとえば、モーターと連動した駆動ドラム上に複数のテーパーを形成させて、それと対をなす複数の回転速度可変ドラムとそれぞれベルトで連結した、複数の対をなすテーパードラム間で回転速度制御を制御するテーパードラム回転速度制御システムは、本発明のテーパードラム回転速度制御システムの例である。
【００２８】
本発明のテーパードラム回転速度制御システムを構成する一対のドラム間の距離には特に制限はなく、両者を連結するベルトの機能が許す範囲で適宜選択することができる。
【００２９】
本発明のテーパードラム回転速度制御システムを採用した装置の具体例として、図を用いてテーパードラム回転速度制御システムを採用した製品の巻取り装置を示す。
図３は、製品巻取り装置を示す概略図である。製品巻取り装置は、巻取りドラムとしてリアロール（Rear Roll）４とフロントロール（Front Roll）５を備えている。リアロール４は製品に巻取り力を伝え、フロントロールは巻取る製品のテンションを調製する役割をする。さらに巻取った製品に接圧をかけるためのライダーロール（Rider Roll）６が設けられている。リアロール４とフロントロール５の間で、本発明のテーパードラム回転速度制御システムが採用されており、両ドラムはテーパーを有するドラムであって、ドラム部分においてベルトで連結されている。
なお、本発明の装置においては、製品の流れを円滑にするために、適宜駆動のかからないフリーロールが設けることができる。以下の図においても、フリーロールが設置されている様子が示されている。
【００３０】
テーパードラム回転速度制御システムによって、フロントロール５は、製品にテンションをかけるために、回転速度を製品送出しの速度として、リアロール４より僅かに早い速度（通常は１％程度）となるに調製されるが、巻取った製品ロールの端面の状態を確認して、巻き方をゆるくしたいときはフロントロールの回転速度を下げ、硬く巻きたいときにはフロントロールの回転速度を上げるなどの回転速度制御が可能である。
【００３１】
本発明のテーパードラム回転速度制御システムを採用した製品巻取り装置によって、製品のテンションを微妙に制御することが可能になるので、所望の製品の巻き具合を得ることができる。このような製品巻取り装置は、柔軟性があって伸縮する不織布のような製品には、特に好適に適用することができる。
【００３２】
本発明のテーパードラム回転速度制御システムを採用した装置におけるドラムの回転速度の制御は、手動で行ってもよいし、適当なセンサーを設置して自動的に制御できるようにしてもよい。コンピュータを用いたドラムの回転速度制御も、本発明のテーパードラム回転速度制御システムの利用には好適な態様である。
【００３３】
テーパードラム回転速度制御システムと、他のロールを適宜連結して、目的に合った装置を構成することができる。例えば、テーパードラム回転速度制御システムのモーターと連動した駆動ドラムと他のドラムをベルトによって連結すると、該他のロールに回転を伝達することができる。この場合、ドラムにベルトプーリーを取り付けてベルトで連結するが、ベルトプーリーとしては、特に制限はなく従来公知のものを採用することができ、Ｖ型ベルトプーリーまたは平ベルトプーリーが好ましく使用できる。連結するドラムの径を選ぶことによって、駆動ドラムに対する他のドラムの回転数比を適宜選択することが可能となる。
【００３４】
図４に、テーパードラム回転速度制御システムの駆動ドラムＡと他のロールＤが、取り付けたベルトプーリーｐにかけられたベルトｖで連結されている様子を示す概略図が示されている。
【００３５】
また、テーパードラム回転速度制御システムの駆動ドラムと他のドラムの間で、本発明のテーパードラム回転速度制御システムを構成すれば、必要に応じて他のドラムの回転速度を制御することが可能となる。
【００３６】
低目付不織布のような柔軟性に富み伸縮する製品などを巻取るとき、前記した製品巻取り装置における巻取りドラムのリアドラムと、その前に位置するドライビングロールとをベルトによって連動させることによって、巻取り時に製品に係るテンションをより的確に制御することができる製品巻取り装置となる。
【００３７】
図５は、製品供給部７より供給される製品が、ドライビングロール８を経て、巻取りドラムのリアドラム４によって巻き取られる製品巻取り装置を示す概略図である。巻取りドラムのリアドラム４と、フロントロール５の間には、テーパードラム回転速度制御システムが採用されており、リアドラム４とドライビングロール８とはベルトによって連結されている。リアドラム４とドライビングロール８の間の破線は、ベルトで連結されていることを示す。製品供給部４が、巻出し軸に装着された不織布などの原反であっても同様である。
【００３８】
したがって、リアドラム４とフロントロール５の間で本発明のテーパードラム回転速度制御システムを採用し、リアドラム４とその前方に位置するドライビングロール８とを連結させた製品巻取り装置は本発明の好ましい態様である。そのような装置を用いた製品巻取り方法もまた本発明の好ましい態様である。
【００３９】
なお、本願発明において、ロール間の連結はベルトによる連結を代表例として説明するが、ロール間に回転を伝達する他の手段の採用も本願発明の実施態様に包含されるものである。
【００４０】
本発明のテーパードラム回転速度制御システムは、製品送出し部、例えばベルトシューターにおける駆動ロールに採用してもよい。例えばベルトシューターの駆動ロールと、送出された製品に接するロール、例えばテンションピックアップロール、との間で、本発明のテーパードラム回転速度制御システムを採用することができる。
【００４１】
送出される製品が巻出し軸に装着された不織布などの原反であるとき、ベルトシューターの駆動ロールと、テンションピックアップロールの間で本発明のテーパードラム回転速度制御システムが構成されていると、送出される製品の状態を観察しながらテンションピックアップロールの回転速度を制御することができるので、送出される製品のテンションを制御することが可能となる。また、原反ロールの状態に応じて、ベルトシューターの駆動ロールとテンションピックアップロールの間の回転速度比を調節することも可能である。
【００４２】
このような製品送出し装置及びそれを用いた製品送出し方法は、本発明の好ましい態様である。
【００４３】
製品送出し部の駆動ロール、例えばベルトシューターの駆動ロールと、製品巻取り部のリアロールとが、ベルトで連結されて連動していると、リアドラムの回転が製品送出し部の駆動ロールに伝達されるので、製品送出し部の駆動ロールはモーターと連動する必要はない。このように、製品送出し部の駆動ロールと製品巻取り装置のリアロールとが、ベルトで連結されることによって、製品送出し部と製品巻取り部を連動させると、全体としてドラムの回転速度を制御できるので、製品をより確実に所望の形態で巻取ることができるようになる。
【００４４】
製品送出し部の駆動ロールと製品巻取り部のリアロールとが、ベルトで連結されている態様は、本発明の製品巻取り装置の好ましい態様である。この場合、製品送出し部の駆動ロールとテンションピックアップロールの間で本発明のテーパードラム回転速度制御システムが構成されている態様は、本発明の製品巻取り装置のより好ましい態様である。
このような製品送出し装置及びそれを用いた製品送出し方法もまた、本発明の好ましい態様である。
【００４５】
図６に巻出し軸に装着された不織布などの原反９が、ベルトシューター１０によって送出され、巻取りドラムのリアロール４及びフロントロール５を経て製品ロール１３に巻き取られる様子を表す概略図を示した。リアロール４とベルトシューターの駆動ロール１１は、ベルトにより連結されている。ベルトシューターの駆動ロール１１とテンションピックアップロール１２との間には、テーパードラム回転速度制御システムが採用されている。
【００４６】
本発明の製品巻取り装置及びそれを用いた巻取り方法によって、巻取り製品の状況に応じてドラムの回転速度を制御し、製品のテンションを制御しながら製品の巻取りが行なうことができるので、柔軟で伸縮性のある製品でも良好な状態を保ちながら所望の巻取りを行なうことが可能となる。
【００４７】
低目付不織布のような柔軟性に富み伸縮する製品などを、狭幅製品にスリットするときは、前記したドライビングロールと巻取りドラムのリアロールの間に、スリッター部を設置して所望の幅にスリットする方法が採られる。スリッター部は通常スリット上刃ロールとスリット下刃ロールを組み合わせて構成される。
【００４８】
前記した本発明のテーパードラム回転速度制御システムを採用したリアロールとフロントロールを備えた巻取り部と、ドライビングロールを備えた製品巻取り装置において、ドライビングロールと巻取りロールのリアロールの間に、スリッター部を設置されている装置は、低目付不織布のような柔軟性に富み伸縮する製品などを、狭幅製品にスリットするのに好適なスリッター装置である。このとき、スリッター部のスリット下刃ロールがリアロールとベルトで連結されていると、リアロールとの間で所定の回転速度を維持しながらスリットし、スリット後の製品巻取りを巻取りドラムの回転速度を制御することによって、所望の状態の巻取りが可能となる。従来のスリッター装置では、スリッターから製品巻取りロールに至る過程で、スリットされた製品のテンションの制御が困難であったために、一定の狭幅製品として巻き取ることが非常に難しかった。本発明のスリッター装置によって、スリット幅と製品幅に大きな差異が生じたり、製品の外観が損なわれたりする従来技術の不都合が生じることなくスリットして巻取ることが可能となる。
【００４９】
図７は、本発明の不織布のような柔軟性に富み伸縮する製品のスリット装置の好適な態様を示す概略図である。製品送出し部から供給されてくる製品は、ドライビングロール８を経て巻取り部方向に移動し、スリッター部に到達する。スリッター部で、スリット上刃ロール１４とスリット下刃ロール１５によって所定の幅にスリットされる。スリット下刃ロール１５はベルトによってリアロール４と連結して（この連結を「Ｘ−リンク」と呼ぶ）、リアロールのドラムの回転が伝達されて駆動する仕組みとなっている。
【００５０】
図７において、スリッター部においてスリットされた製品は、テーパードラム回転速度制御システムによって回転速度が制御されたリアロール４とフロントロール５を経て、製品ロール１３に巻き取られる。スリット下刃ロール１５、リアロール４及びフロントロール５の制御された回転速度によって、製品はスリット幅と製品幅に大きな差異が生じることなく、製品の外観が損なわれたりすることなく製品ロール１３に巻き取られる。
【００５１】
すなわち、製品をスリットする装置及び方法において、テーパードラム回転速度制御システムを採用したリアロール及びとフロントロールと、リアロールとスリッター下刃ロールが連結されたスリッター装置は、本発明の好ましい態様である。またその装置を使用するスリット方法もまた本発明の好ましい態様である。
【００５２】
このようなスリッター装置において、さらにリアロールとドライビングロールとをベルトで連結（この連結を「Ｙ−リンク」と呼ぶ）させたスリッター装置およびそれを使用するスリット方法は、本発明のより好ましい態様である。巻取りドラムとドライビングロールとを連動させることによって、ドライビングロールからスリッター部への製品供給の速度を所定のものとして、その間における製品のテンションを一定のものとすることができるので、スリッター部における製品のスリットを所定の幅で行ない易くすることができる。
【００５３】
スリッター部のスリッター下刃ロールと、巻取りドラムのリアロールとの間の製品送出し速度は、不織布のような柔軟性に富む製品においては、スリッター部の方が１〜２％程度遅く設定することが好ましい。このような状態になるように、ドラムの回転速度を調整するのが望ましい。
【００５４】
このようなスリット装置において、さらに巻取り部のリアロールと製品送出し部のベルトシューターの駆動ロールとを連結（この連結を「Ｚ−リンク」と呼ぶ）させたスリッター装置およびそれを使用するスリット方法は、本発明のさらに好ましい態様である。
【００５５】
図８に本発明の製品送出し部と巻取り部が連結されているＺ−リンクを有する原反スリッター装置の概略図を示す。巻出し軸に装着された不織布原反９は、ベルトシューター１０の回転によって下流側に送出される。送出された原反はテンションピックアップロール１２、ドライビングロール８を経由してスリッター部に送られる。スリッター部においてカッターナイフの上刃および下刃の接圧によって不織布原反は所定の幅にスリットされる。その後、リアロール４およびフロントロール５を経て巻取りロール１３に巻きつけられ、所定の長さまで巻き取られる。図８では、リアロール４とフロントロール５の間、及びベルトシューターの駆動ロール１１とテンションピックアップロール１２の間で本発明のテーパードラム回転速度制御システムが採用されている。さらにリアロール４と、スリット下刃ロール１３（Ｘ−リンク）、ドライビングロール８（Ｙ−リンク）及びベルトシューターの駆動ロール１１（Ｚ−リンク）がベルトによって連結されている。
【００５６】
リアロール４と、ベルトシューターの駆動ロール１１がベルトによって連結（Ｚ−リンク）されている場合、不織布のような柔軟性に富む製品においては、製品送出し速度として、ベルトシューターがリアロールより３〜５％程度遅く設定することが好ましいので、そのようにリアロールとベルトシューターの駆動ロールの回転数を調整することが望ましい。
【００５７】
上記した本発明の製品スリッター装置においては、リアロールとフロントロールの間で本発明のテーパードラム回転速度制御システムが採用されていることが特徴的である。
【００５８】
上記した本発明の製品巻取り装置及び製品スリッター装置においては、さらにリアロールとスリット下刃ロールがベルトによって連結されて、リアロールの回転がスリット下刃ロールに伝達されていること（Ｘ−リンク）が好ましい態様である。それによって、巻き取った製品のフリーテンション幅、製品巻上げ幅、製品硬度などの目標値を満たすことができる。
【００５９】
本発明の製品巻取り装置及び製品スリッター装置においては、さらにまたリアロールとドライビングロールが連結されていること（Ｙ−リンク）が、より好ましい態様である。それによって、巻き取った製品のフリーテンション幅、製品巻上げ幅、製品硬度などの目標値を満たすことをより確実にすることができる。
【００６０】
本発明の製品巻取り装置及び製品スリッター装置においては、またさらにリアロールとベルトシューターの駆動ロールとが連結されていること（Ｚ−リンク）がさらに好ましい態様である。それによって、巻き取った製品のフリーテンション幅、製品巻上げ幅、製品硬度などの目標値を満たすことをさらにより確実にすることができる。
【００６１】
前記した製品の目標値を満たすためには、Ｘ−リンクがあることが好ましく、続いてＸ−リンクとＹ−リンクが構成されていることがより好ましく、さらに好ましいのはＸ−リンク、Ｙ−リンクおよびＺ−リンクが構成されている態様である。
【００６２】
本発明のスリッター装置およびスリット方法において、幅の狭い原反をスリットする場合には、ベルトシューターを使用せずに、巻出し軸にあるパウダーブレーキを使用してもよい。
【００６３】
本発明によって、ポリプロピレン不織布のような柔軟性に富む不織布原反から、製品幅１００ｍｍ以下という狭幅製品にスリットすることが可能となり、狭幅製品を繁雑な作業を要することなく効率よく製造することが可能となるので、狭幅製品を生産性よく製造することが可能となる。
【実施例】
【００６４】
以下に実施例によって本発明をより具体的に説明するが、本発明は実施例によって何ら制限されるものではない。
【００６５】
（実施例１）
前記図８に示した構成のスリッター装置を製作した。その装置を用いて、ポリプロピレン製不織布原反(目付１５ｇ／ｍ２、幅１，０３６ｍｍ、長さ１３，２００ｍ)のスリット加工を行なった。スリッター部におけるスリット時の速度はスリッター速度が毎分３７５ｍ、巻取り部のリアロールの速度を毎分３７７ｍ、フロントロールの速度を毎分３８２ｍとした。巻取り部におけるライダーロール接圧設定値を８Ｖとし、巻上げ軸のニップ圧カは６Ｖとして実施した。
製品幅の目標値が６５ｍｍであったので、スリッター部で幅６５ｍｍにスリットして、巻取り長さを６，５００ｍとして、巻取りを２回行ない、巻取りロールを２個得た。各巻取りロールには、スリット加工製品１５ロールが得られており、両端の耳ロスは６１ｍｍであった。
この結果、スリット加工後の製品幅は６４ｍｍ（規格値が６５ｍｍ±３ｍｍ）であり、フリーテンションでの製品幅は６６ｍｍ(規格なし)、側面硬度８２(規格値４５以上)、巻径７４５ｍｍ(規格７６０ｍｍ以下)であった。
上記から、製品規格値に対して良好な値を有するスリット加工製品が得られていることが分かる。
【産業上の利用可能性】
【００６６】
本発明により、製品巻取り装置やスリッター装置に好適に使用できるテーパードラム回転速度制御システムが提供される。
本発明により提供されるテーパードラム回転速度制御システムを採用した製品巻取り装置およびそれを用いた製品巻取り方法は、巻取りに置ける製品のテンションコントロールを可能にするものであって、低目付不織布などの製品の巻取りにも好適に使用できるものである。
本発明により提供されるテーパードラム回転速度制御システムを採用した本発明のスリッター装置およびそれを用いた原反のスリット方法は、低目付不織布の原反のスリットにも好適に使用することができる。
本発明によって、ポリプロピレン不織布のような柔軟性に富む不織布原反から、製品幅１００ｍｍ以下という狭幅製品にスリットすることが可能となり、狭幅製品を繁雑な作業を要することなく効率よく製造することが可能となるので、狭幅製品を生産性よく製造することが可能となる。
【図面の簡単な説明】
【００６７】
【図１】本発明のテーパードラム回転速度制御システムの構成を示す平面図である。
【図２】テーパードラム回転速度制御システムの一対のドラムの回転速度の関係を示す図である。
【図３】本発明の製品巻取り装置の一態様を示す概略図である。
【図４】テーパードラム回転速度制御システムと、他のロールを連結した態様を示す概略図である。
【図５】本発明の製品巻取り装置の他の態様を示す概略図である。
【図６】本発明の製品巻取り装置の別の態様を示す概略図である。
【図７】本発明のスリッター装置の一態様を示す概略図である。
【図８】本発明のスリッター装置他の態様を示す概略図である。
【符号の説明】
【００６８】
Ａ：テーパードラム
Ｂ：テーパードラム
Ｃ：ベルト位置
ｐ：ベルトプーリー
ｖ：ベルト
１：ベルト位置
２：ベルト位置
３：ベルト
４：リアロール
５：フロントロール
６：ライダーロール
７：製品供給部
８：ドライビングロール
９：原反
１０：ベルトシューター
１１：ベルトシューターの駆動ロール
１２：テンションピックアップロール
１３：製品ロール
１４：スリット上刃ロール
１５：スリット下刃ロール
Ｘ：Ｘ−リンク
Ｙ：Ｙ−リンク
Ｚ：Ｚ−リンク
【図１】
2008030940.tif 000003
【図２】
2008030940.tif 000004
【図３】
2008030940.tif 000005
【図４】
2008030940.tif 000006
【図５】
2008030940.tif 000007
【図６】
2008030940.tif 000008
【図７】
2008030940.tif 000009
【図８】
2008030940.tif 000010